【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
所定の周波数で相対的に高いインピーダンスを有し、前記所定の周波数よりも高い周波数及び低い周波数で相対的に低いインピーダンスを有する高インピーダンス表面と、
夫々の主軸が前記高インピーダンス表面に直接隣接して配置された状態で前記高インピーダンス表面上に配置された一群の伸張ワイヤアンテナであって、各伸張ワイヤアンテナは、各伸張ワイヤアンテナの給電端部が前記高インピーダンス表面の外周部よりも前記高インピーダンス表面の中心部により近づいて配置されるように配列された前記給電端部を有しており、各伸張ワイヤアンテナは前記高インピーダンス表面の前記外周部に向いたアンテナ末端部を有している一群の伸張ワイヤアンテナと、
各伸張ワイヤアンテナに対応付けられており、且つ第一端部により前記対応付けられる伸張ワイヤアンテナの前記給電端部に取付けられた複数のインピーダンス整合スタブであって、各インピーダンス整合スタブは前記第一端部から離れた位置にある末端部を有しており、前記複数のインピーダンス整合スタブの夫々のスタブ末端部は、前記第一端部よりも前記高インピーダンス表面の中心部により近づくように配置される前記複数のインピーダンス整合スタブと、
アンテナシステムにより受信された円偏波電磁信号を第一出力に送出し、前記アンテナシステムにより受信された垂直偏波電磁信号を第二出力に送出するための、前記各伸張ワイヤアンテナの給電端部に結合されたアンテナ結合配列と、
を備えたことを特徴とするアンテナシステム。
【請求項２】
円偏波電磁信号と直線偏波電磁信号との両方を受信するための平面アンテナシステムであって、前記円偏波信号は当該平面アンテナシステムの主表面に垂直又は斜めの方向から前記平面アンテナシステムに到達し、前記直線偏波信号は前記主表面に鋭角な方向から前記平面アンテナシステムに到達する平面アンテナシステムにおいて、該平面アンテナシステムは、
高インピーダンス表面と、
前記高インピーダンス表面上に配置された複数のアンテナ構成要素であって、該複数のアンテナ構成要素は、該複数のアンテナ構成要素の中から選択される複数のペアが（ｉ）前記高インピーダンス表面の一の面の半分の面上に、又は（ｉｉ）前記高インピーダンス表面の一の面上に直線関係で、のいずれかで存在するような前記高インピーダンス表面上のパターンで配列されている複数のアンテナ構成要素と、
前記アンテナシステムにより受信された円偏波電磁信号を第一出力に送出し、前記アンテナシステムにより受信された直線偏波電磁信号を第二出力に送出するための、前記複数のアンテナ構成要素に結合されたアンテナ結合配列と、
を備えたことを特徴とする平面アンテナシステム。
【請求項３】
円偏波電磁信号と直線偏波電磁信号との両方を受信するためのアンテナシステムであって、前記円偏波信号は前記アンテナシステムの主表面に垂直又は斜めの方向から前記アンテナシステムに到達し、前記直線偏波信号は前記主表面に鋭角な方向から前記平面アンテナシステムに到達するアンテナシステムにおいて、該アンテナシステムは、
高インピーダンス表面と、
前記高インピーダンス表面上に配置された複数のアンテナ構成要素であって、該複数のアンテナ構成要素は、該複数のアンテナ構成要素のうち複数の第一選択構成要素が円偏波に応答し、前記複数のアンテナ構成要素のうち複数の第二選択構成要素が直線偏波に応答するような前記高インピーダンス表面上のパターンで配列されている複数のアンテナ構成要素と、
を備えたことを特徴とするアンテナシステム。
【請求項４】
更に、前記複数のアンテナ要素のうち前記複数の第一選択構成要素により受信された円偏波電磁信号を第一出力に送出し、前記複数のアンテナ構成要素のうち前記複数の第二選択構成要素により受信された直線偏波電磁信号を第二出力に送出するための、前記複数のアンテナ構成要素に結合されたアンテナ結合配列を含むことを特徴とする請求項３に記載のアンテナシステム。
【請求項５】
空中の比較的高い位置から円偏波信号を受信し、同時に空中の比較的低い位置であって水平線に近い位置から直線偏波信号を受信する受信方法であって、該方法は、
高インピーダンス表面を提供する工程と、
複数のアンテナ構成要素を前記高インピーダンス表面上に配置し、前記複数のアンテナ構成要素を、該複数のアンテナ構成要素のうち複数の第一選択構成要素が円偏波に応答し、前記複数のアンテナ構成要素のうち複数の第二選択構成要素が直線偏波に応答するような前記高インピーダンス表面上のパターンで配列する工程と、
を備えたことを特徴とする受信方法。
【請求項６】
更に、前記複数のアンテナ構成要素により受信された円偏波電磁信号を第一出力に送出する工程と、
前記複数のアンテナ構成要素により受信された直線偏波電磁信号を第二出力に送出する工程と、
を備えたことを特徴とする請求項５に記載の受信方法。
【請求項７】
空中の比較的高い位置から円偏波信号を受信し、同時に空中の比較的低い位置であって水平線に近い位置から直線偏波信号を受信するアンテナであって、該アンテナは、
高インピーダンス表面と、
前記高インピーダンス表面上に配置された複数のアンテナ構成要素であって、該複数のアンテナ構成要素のうち複数の第一選択構成要素が円偏波に応答し、前記複数のアンテナ構成要素のうち複数の第二選択構成要素が直線偏波に応答するような前記高インピーダンス表面上のパターンで配列されている複数のアンテナ構成要素と、
を備えたことを特徴とするアンテナ。
【請求項８】
更に、前記アンテナシステムにより受信された円偏波電磁信号を第一出力に送出し、前記アンテナシステムにより受信された直線偏波電磁信号を第二出力に送出するための、前記複数のアンテナ構成要素に結合されたアンテナ結合配列を含むことを特徴とする請求項７に記載のアンテナ。
【請求項９】
前記複数のアンテナ構成要素のうち前記複数の第一及び第二選択構成要素は、夫々、複数ペアのアンテナ構成要素からなることを特徴とする請求項４又は７に記載のアンテナ又はアンテナシステム。
【請求項１０】
前記複数のアンテナ構成要素の夫々は、アンテナスタブが通常給電点に接続されたワイヤアンテナ構成要素であることを特徴とする請求項７に記載のアンテナ又はアンテナシステム。
【請求項１１】
前記アンテナ結合配列は、前記アンテナシステムにより受信された右円偏波電磁信号を前記第一出力に送出し、前記アンテナシステムにより受信された左円偏波電磁信号を第三出力に送出することを特徴とする請求項１、２、４及び７から１０のいずれか一項に記載のアンテナ又はアンテナシステム。
【請求項１２】
前記複数のアンテナ構成要素のうちの複数のアンテナ構成要素は、実質的に互いに同一であることを特徴とする請求項２、３及び７から１０のいずれか一項に記載のアンテナ又はアンテナシステム。
【請求項１３】
前記アンテナ構成要素が前記表面上に配置されるパターンは、規則的な反復パターンであることを特徴とする請求項７から１０のいずれか一項に記載のアンテナ。
【請求項１４】
前記高インピーダンス表面は本質的に水平方位に配置されており、前記直線偏波は垂直偏波であることを特徴とする請求項７から１０のいずれか一項に記載の方法。
【請求項１５】
円偏波電磁信号と直線偏波電磁信号との両方を受信するためのアンテナシステムであって、前記円偏波信号は前記アンテナシステムの主表面に垂直又は斜めの方向から前記アンテナシステムに到達し、前記直線偏波信号は前記主表面に鋭角な方向から前記アンテナシステムに到達するアンテナシステムにおいて、該アンテナシステムは、
（ｉ）円偏波信号と（ｉｉ）直線偏波信号との夫々の周波数を越える表面波バンドギャップを有する高インピーダンス表面と、
前記高インピーダンス表面上に配置された複数のアンテナ構成要素であって、該複数のアンテナ構成要素は、該複数のアンテナ構成要素の中から選択される複数のペアが（ｉ）前記高インピーダンス表面の一の面の半分の面上に、又は（ｉｉ）前記高インピーダンス表面の一の面上に直線関係で、のいずれかで存在するような前記高インピーダンス表面上のパターンで配列されている複数のアンテナ構成要素と、
を備えることを特徴とするアンテナシステム。
【請求項１６】
更に、前記アンテナシステムにより受信された円偏波電磁信号を第一出力に送出し、前記アンテナシステムにより受信された直線偏波電磁信号を第二出力に送出するための、前記複数のアンテナ構成要素に結合されたアンテナ結合配列を含むことを特徴とする請求項１５に記載のアンテナシステム。
【請求項１７】
前記アンテナ結合配列は、前記アンテナシステムにより受信された右円偏波電磁信号を前記第一出力に送出し、前記アンテナシステムにより受信された左円偏波電磁信号を第三出力に送出することを特徴とする請求項１６に記載のアンテナシステム。
【請求項１８】
前記複数のアンテナ構成要素のうちの複数のアンテナ構成要素は、実質的に互いに同一であることを特徴とする請求項１５から１７のいずれか一項に記載のアンテナシステム。
【請求項１９】
空中の比較的高い位置から円偏波信号を受信し、同時に空中の比較的低い位置であって水平線に近い位置から直線偏波信号を受信する受信方法であって、該方法は、
前記円偏波信号と（ｉｉ）前記直線偏波信号との夫々の周波数を越える表面波バンドギャップを有する高インピーダンス表面を提供する工程と、
複数のアンテナ構成要素を、該複数のアンテナ構成要素のうち複数の第一選択構成要素が円偏波に応答し、前記複数のアンテナ構成要素のうち複数の第二選択構成要素が直線偏波に応答するような前記高インピーダンス表面上のパターンで配列する工程と、
を備えたことを特徴とする受信方法。
【請求項２０】
（ｉ）前記円偏波信号と（ｉｉ）前記直線偏波信号との夫々の周波数は、前記高インピーダンス表面の前記表面波バンドギャップの上半分とともに減少し、前記高インピーダンス表面は、前記直線偏波信号の周波数の一平方波長以下のサイズを有することを特徴とする請求項１９に記載の受信方法。
【請求項２１】
更に、前記複数のアンテナ構成要素により受信された円偏波電磁信号を第一出力に送出する工程と、
前記複数のアンテナ構成要素により受信された直線偏波電磁信号を第二出力に送出する工程と、
を備えたことを特徴とする請求項２０に記載の受信方法。
【請求項２２】
前記複数のアンテナ構成要素のうち前記複数の第一及び第二選択構成要素が、夫々、複数ペアのアンテナ構成要素からなることを特徴とする請求項５、２０及び２１のいずれか一項に記載の受信方法。
【請求項２３】
前記アンテナシステムにより受信された右円偏波信号が一つの出力に送出され、前記アンテナシステムにより受信された左円偏波信号が他の出力に送出されることを特徴とする請求項５、６及び２０から２２のいずれか一項に記載の受信方法。
【請求項２４】
前記高インピーダンス表面は本質的に水平方位に配置されており、前記直線偏波は垂直偏波であることを特徴とする請求項５、６及び２０から２３のいずれか一項に記載の受信方法。
【請求項２５】
前記高インピーダンス表面は本質的に水平方位に配置されており、前記直線偏波は垂直偏波であることを特徴とする請求項５、６及び２２から２４のいずれか一項に記載の受信方法。